(57)【特許請求の範囲】
【請求項１】
金属製棒材よりなり、その周壁面を水栓取付板部の上面に直交させた状態で前記水栓取付板部の前記上面に固定される円柱形状の胴部と、弁本体と、ディスク状のシート部と、前記弁本体を操作する平板状のレバー部分を有するレバー体と、前記弁本体を内蔵した状態で固定してある筒体と、筒状のカバー体とを備えたシングルレバー式の混合栓であって、
前記胴部は、
給水管および給湯管にそれぞれ連通する給水流路および給湯流路を有する一方、湯水混合水の吐出流路を有し、凹所を周壁に有するとともに、この凹所の底面に、前記給水流路の出口および給湯流路の出口ならびに前記吐出流路の入口が面一に形成されており、
前記弁本体には、
前記給水流路に連通する水導入流路、前記給湯流路に連通する湯導入流路が形成されるとともに、これら導入流路の下流に前記吐出流路に連通する湯水混合水導出流路が形成されており、
前記シート部は、
前記給水流路および水導入流路を連通させ、前記給湯流路および湯導入流路を連通させ、また、前記吐出流路および湯水混合水導出流路を連通させるよう前記凹所の底面にシール可能に取付けられており、
前記筒体は、
前記シート部に外嵌しており、
前記カバー体は、
前記筒体の外径に略等しい内径を有し、前記凹所のまわりの前記周壁に固定され、前記筒体の略全体を覆う筒状のカバー体とを備え、
更に、前記カバー体の外周面と前記胴部の周壁面は直交しており、また、前記シート部をねじ止めにより前記凹所の底面に取付ける一方、前記弁本体および前記凹所の底面間に前記シート部を介装した状態で前記シート部と前記筒体をねじ止めにより連結してあり、  一方、前記レバー体は、前記カバー体と同径で、前記筒体における前記カバー体で覆いきれなかった部分を覆う被覆部分を有するとともに、この被覆部分と前記レバー部分は直交していることを特徴とするシングルレバー式の混合栓。
【発明の詳細な説明】
【０００１】
【発明の属する技術分野】
この発明は、シングルレバー式の混合栓に関する。
【０００２】
【従来の技術および発明が解決しようとする課題】
従来この種混合栓として、図９に示すように、円柱形状の胴部８１の周壁８１ａから横方向に連設された連設部８２内に弁本体を取付け、この横方向に取付けられた弁本体にレバー体８３を係止し、それによって、レバー体８３が上下・左右方向の回動操作によって傾動操作されるように構成したワンホール混合栓Ｍ〔図９（Ａ）参照〕やワンホールスプレー混合栓Ｎ〔図９（Ｂ）参照〕があるけれども、胴部８１が例えば青銅鋳物からなるので、周壁８１ａから折れ曲がり連設部８２に至る折れ曲がり形状が湾曲形状となり、本出願人が先に提案（特願２０００−１３３７４６・現時点では未公開）した円柱形状のシャープな外観形状を持つシャワヘッドを前記ワンホールスプレー混合栓Ｎに用いられているシャワヘッド８４と替えて用いても、湾曲形状が目立つ胴部８１とシャープな外観形状を持つシャワヘッドとの組み合わせはデザイン的にマッチしなかった。
【０００３】
本発明は上述の事柄に留意してなされたもので、その目的は、円柱をモチーフにしたシャープな外観形状を持つシングルレバー式の混合栓を提供することである。
【０００４】
【課題を解決するための手段】
上記目的を達成するために、この発明は、金属製棒材よりなり、その周壁面を水栓取付板部の上面に直交させた状態で前記水栓取付板部の前記上面に固定される円柱形状の胴部と、弁本体と、ディスク状のシート部と、前記弁本体を操作する平板状のレバー部分を有するレバー体と、前記弁本体を内蔵した状態で固定してある筒体と、筒状のカバー体とを備えたシングルレバー式の混合栓であって、
前記胴部は、
給水管および給湯管にそれぞれ連通する給水流路および給湯流路を有する一方、湯水混合水の吐出流路を有し、凹所を周壁に有するとともに、この凹所の底面に、前記給水流路の出口および給湯流路の出口ならびに前記吐出流路の入口が面一に形成されており、
前記弁本体には、
前記給水流路に連通する水導入流路、前記給湯流路に連通する湯導入流路が形成されるとともに、これら導入流路の下流に前記吐出流路に連通する湯水混合水導出流路が形成されており、
前記シート部は、
前記給水流路および水導入流路を連通させ、前記給湯流路および湯導入流路を連通させ、また、前記吐出流路および湯水混合水導出流路を連通させるよう前記凹所の底面にシール可能に取付けられており、
前記筒体は、
前記シート部に外嵌しており、
前記カバー体は、
前記筒体の外径に略等しい内径を有し、前記凹所のまわりの前記周壁に固定され、前記筒体の略全体を覆う筒状のカバー体とを備え、
更に、前記カバー体の外周面と前記胴部の周壁面は直交しており、また、前記シート部をねじ止めにより前記凹所の底面に取付ける一方、前記弁本体および前記凹所の底面間に前記シート部を介装した状態で前記シート部と前記筒体をねじ止めにより連結してあり、  一方、前記レバー体は、前記カバー体と同径で、前記筒体における前記カバー体で覆いきれなかった部分を覆う被覆部分を有するとともに、この被覆部分と前記レバー部分は直交していることを特徴としている。
【０００５】
【発明の実施の形態】
以下、この発明の実施の形態について説明する。
図１〜図５は、円柱形状の胴部の上面から吐水管を突出させたこの発明の第１の実施形態を示す。
【０００６】
図１〜図４において、１は、ワンホール混合栓で、台所の流し台や洗面ボール、バスタブ等の水栓取付板部２に開設された貫通孔３を介して水栓取付板部２にボルト４４を用いて固定されている。
【０００７】
４は、円柱形状の胴部で、給水管５に連通する給水流路を形成する給水穴６および給湯管７に連通する給湯流路を形成する給湯穴８を有するとともに、湯水混合水の吐出流路を形成する吐出用穴９を有し、正面視小判型の凹所１０〔図５（Ａ）〕を周壁ｍに有する。
【０００８】
更に、前記凹所１０の底面１１は平坦面を有し、この平坦面に前記給水流路の出口１２および前記給湯流路の出口１３ならびに前記吐出流路の入口１４が面一に形成されている。９ａは前記吐出流路の出口である。また、底面１１には複数のねじ孔１５ａ，１５ｂ，１５ｃが形成されている。
【０００９】
前記胴部４は、所定の径Ｄを有する例えばステンレス製の棒材を所定の長さＬに切断して得られる円柱体１６に、給水穴６、給湯穴８および吐出用穴９ならびに凹所１０を穿設することで形成される。６０は、ステンレス製の吐水管で、胴部４の上面部から突出した状態で設けられている。すなわち、前記上面部には吐出流路に連通する正面視円形の連通穴６１が形成され、この連通穴６１に吐水管取付け部材６２がねじ止めされている。この吐水管取付け部材６２は、中央に円形穴６２ａを有し、吐水管６０の一端が嵌め込まれている。６６は、ワンホール混合栓１の取付金具で、ボルト４４の外周面へ螺合するナット６７との締結操作で取付金具６６によって水栓取付板部２の下面２ａが押圧される状態で胴部４が水栓取付板部２の上面２ｂに固定される（特願平８−５１０１８号、明細書、図面参照）。４４ａは、ボルト４４のねじ穴である。
【００１０】
１７は弁本体で、小径の上方開口１８、大径の下方開口１９を有するユニットケース２０に、下ディスク２１と、この上に設けられるセラミック製の固定ディスク２２と、固定ディスク２２に摺動自在に重合配置されるセラミック製の可動ディスク２３と、この上にあって可動ディスク２３を保持する合成樹脂製のサポート部材２４とが内蔵されている（特願平７−２７５１５号、明細書、図面参照）。
【００１１】
そして、弁本体１７には、前記給水流路に連通する水導入流路、前記給湯流路に連通する湯導入流路が形成されるとともに、これら導入流路の下流に前記吐出流路に連通する湯水混合水導出流路が形成されている。２５は栓棒で、回転軸２５ａのまわりに回動する。
【００１２】
２６は、ディスク状のシート部で、前記下ディスク２１に設けた水用弁孔、湯用弁孔および湯水混合水用弁孔とそれぞれ対応する水導入孔３０、湯導入孔３１および湯水混合水導出孔３２が開設されており、その各孔にそれぞれ嵌装される三つの弾性部材よりなるシール用パッキン２７，２８，２９を有する。
【００１３】
また、シート部２６は、外周面に雄ねじ３３を有するとともに、凹所１０の底面１１に設けた前記ねじ孔１５ａ，１５ｂ，１５ｃに対応する位置にねじ挿通孔３４ａ，３４ｂ，３４ｃが形成されている。１０１は、ねじである。２００は弁本体１７に設けた位置決め用の突起で、前記ねじ挿通孔３４ａに嵌め込まれる。
【００１４】
そして、シート部２６は、前記下ディスク２１および底面１１間に介装されて、前記給水流路および水導入流路を連通させ、前記給湯流路および湯導入流路を連通させ、また、前記吐出流路および湯水混合水導出流路を連通させる。
【００１５】
３５はステンレス製のレバー体で、雄ねじｋを有するピン３６により前記栓棒２５に係止されており、上下・左右方向の回動操作によって傾動操作される。３７は、雄ねじｋに螺合する雌ねじｉを有するねじ孔で、このねじ孔３７を介してピン３６のの円錐型先端部３６ａが栓棒２５の上端部の外周面に形成した環状溝３８に嵌まり込む構成を採用している。４４は栓棒２５の上端部が嵌まり込む凹所で、ねじ孔３７に連通している。１００はピン挿通穴である。
【００１６】
３９は、前記弁本体１７が内蔵された状態で前記シート部２６に外嵌する筒体で、シート部２６とはねじ止めにより連結される。すなわち、筒体３９は、小径の上方開口部４９および大径の下方開口部５０を有し、下方開口部５０の内径はシート部２６の外径に等しい。そして、下方開口部５０は、シート部２６の前記雄ねじ３３に螺合する雌ねじ５１を有する。弁本体１７は、栓棒２５側が下方開口部５０から挿入され、ねじ止めにより、かつ、栓棒２５の上端部が突出した状態で筒体３９に固定されている。
【００１７】
５２は、シート部２６と弁本体１７を内蔵した筒体３９とを覆う筒状の薄いステンレス製のカバー体で、前記筒体３９の大径部３９ａの外径に略等しい内径を有し、前記凹所１０のまわりの前記周壁ｍに横方向にロー付け、あるいは、溶接により固定されている。この場合、カバー体５２の外周面Ｆと胴部４の周壁面ｍ1 は直交している。
そして、シート部２６を凹所１０の底面１１にねじ止めし〔図５（Ｂ）〕参照、続いて、弁本体１７を内蔵した筒体３９をシート部２６にねじ止めして横方向に前記弁本体１７を取付けた状態では、前記筒体３９の小径部３９ｂがカバー体５２に覆われることなくカバー体５２の一方開口５４よりも横方向外側に突出する。
【００１８】
前記レバー体３５は、平面視細長の矩形をした平板状のレバー部分５６を有する。また、レバー体３５は、前記筒体３９における前記カバー体５２で覆いきれなかった部分、すなわち、前記筒体３９の小径部３９ｂを覆う被覆部分５５を有する。この被覆部分５５は、前記カバー体５２と同径である。
【００１９】
そして、レバー部分５６と被覆部分５５は直交している。すなわち、レバー体３５は、レバー部分５６から垂直に折れ曲がり被覆部分５５に至るシャープな折れ曲がり形状を有する。
【００２０】
而して、ステンレス製の棒材を用いたので鋳造金型を用いて胴部を作成する従来の場合に比してコスト安で、かつ、給水流路、給湯流路、吐出流路をシンプルにできる上、これら流路、凹所１０を棒材を加工するだけの容易な作業で形成できる。
【００２１】
更に、レバー体３５は、シャープな折れ曲がり形状を有するとともに、カバー体５２の外周面Ｆと胴部４の周壁面ｍ1 を直交させてカバー体５２を胴部４に取り付け、しかも、胴部４、カバー体５２およびレバー体３５ならびに吐水管６０をステンレス製にしたので、円柱をモチーフにしたシャープな外観形状を持つワンホール混合栓１を提供できる。
【００２２】
図６〜図８は、吐水管の代わりに本出願人が先に提案（特願２０００−１３３７４６・現時点では未公開）した円柱形状のシャープな外観形状を持つシャワヘッドを用いたこの発明の第２の実施形態を示す。図６〜図８において、図１〜図５に示した符号と同一のものは、同一または相当物である。
【００２３】
図６〜図８において、６９は、ワンホールスプレー混合栓である。７０は、シャワヘッド７１のホースで、ホース管７１ｂを介してストッパー７１ｅ付きのフレキシブル管７１ｃに接続され、更に、このフレキシブル管７１ｃの上流端は湯水混合水の吐出用穴９に接続されている。７２は、胴部４に形成した貫通穴で、胴部４の上端部に取り付けられたホース案内管７３に連通しており、ホース７０、ホース管７１ｂ、フレキシブル管７１ｃが挿通される。
【００２４】
【発明の効果】
この発明では、例えばステンレス製の棒材を用いたので鋳造金型を用いて胴部を作成する従来の場合に比してコスト安で、かつ、給水流路、給湯流路、吐出流路をシンプルにできる上、これら流路、凹所を棒材を加工するだけの容易な作業で形成できる。
【００２５】
更に、レバー体は、シャープな折れ曲がり形状を有するとともに、カバー体を胴部に直交させてカバー体を胴部に取り付けたので、円柱をモチーフにしたシャープな外観形状を持つワンホール混合栓を提供できる。
【図面の簡単な説明】
【図１】  この発明の第１の実施形態を示す全体斜視図である。
【図２】  上記実施形態を示す構成説明図である。
【図３】  上記実施形態を分解して示す構成説明図である。
【図４】  （Ａ）は、上記実施形態で用いた円柱体を示す斜視図である。
（Ｂ）は、上記実施形態における胴部とカバー体の位置関係を示す図である。
【図５】  （Ａ）は、上記実施形態における胴部を示す斜視図である。
（Ｂ）は、上記実施形態における胴部にシート部を取り付けた状態を示す斜視図である。
【図６】  この発明の第２の実施形態を示す全体斜視図である。
【図７】  上記第２の実施形態を示す構成説明図である。
【図８】  （Ａ）は、上記第２の実施形態で用いた円柱体を示す斜視図である。
（Ｂ）は、上記第２の実施形態における胴部とカバー体の位置関係を示す図である。
【図９】  （Ａ）は、従来例を示す構成説明図である。
（Ｂ）は、他の従来例を示す構成説明図である。
【符号の説明】
１…ワンホール混合栓、４…胴部、１０…凹所、１７…弁本体、２６…シート部、３５…レバー体、３９…筒体、５２…カバー体。
【図１】
0004366004.tif 000002
【図３】
0004366004.tif 000003
【図４】
0004366004.tif 000004
【図５】
0004366004.tif 000005
【図６】
0004366004.tif 000006
【図７】
0004366004.tif 000007
【図８】
0004366004.tif 000008
【図９】
0004366004.tif 000009
【図２】
0004366004.tif 000010